(57)【要約】【課題】ユーザーが装置本体の背面に回りこむことなく端子の抜き差しを容易に行うことができるようにする。【解決手段】インクジェット記録装置を構成する画像形成装置であり、その装置本体１の背面部１ａには、外部とデータ等を授受するＵＳＢ端子接続部９１，９２、ＬＡＮ端子接続部９３が配置され、この背面部に隣接する装置本体１の上面部１ｂには、ＵＳＢ端子接続部９１，９２、ＬＡＮ端子接続部９３の配置相当位置にＵＳＢ端子の接続部を示すＵＳＢ接続記号９６、ＬＡＮ接続記号９７が表示されている。【選択図】図５
2010260283.tif 000002
【特許請求の範囲】
【請求項１】
装置本体の側面部に入出力端子の接続部が配置された電子機器において、前記側面部に隣接する上面部の前記接続部に相当する個所に前記接続部が配置されていることを示す表示を設けることを特徴とする電子機器。
【請求項２】
前記接続部が配置される側面部は、操作者が位置する側と反対側である背面部であることを特徴とする請求項１に記載の電子機器。
【請求項３】
前記表示は、文字、記号の少なくとも一方を含むものであることを特徴とする請求項１又は請求項２に記載の電子機器。
【請求項４】
前記入出力端子は、ＵＳＢ端子、ＬＡＮ端子及び電力端子のうち少なくとも一つを含むものであることを特徴とする請求項１乃至請求項３のいずれかに記載の電子機器。
【請求項５】
画像形成装置であることを特徴とする請求項１乃至請求項４のいずれかに記載の電子機器。
【発明の詳細な説明】
【技術分野】
【０００１】
本発明は電子機器に係り、特に外部への入出力端子の接続部を備えた電子機器に関する。
【背景技術】
【０００２】
電子機器、例えばインクジェットプリンタ等の画像形成装置には、上位装置であるコンピュータやＬＡＮと接続するためＵＳＢ端子の接続部やＬＳＮケーブル接続端子の接続部が配置される。
【０００３】
このような電子機器として、特許文献１にはインクジェット記録装置が記載されている。また、特許文献２には、電子機器である多機能装置の本体筐体の正面に、ＵＳＢコネクタ及びカードスロットが配設された接続パネルを設け、この接続パネルを本体筐体の正面より幾分か陥没した状態に凹設したものが記載されている。
【０００４】
また、特許文献３には、電子機器であるプリンタは、外部装置と情報の送受信を行うためＵＳＢインタフェースを備え、ＵＳＢケーブルを収容する収容部を有するとともに、ＵＳＢケーブルが、プリンタに接続された状態でプリンタと一体的に設けられ、ＵＳＢケーブルの中間には巻き取り装置が設けられており、ＵＳＢケーブルは巻き取り装置に巻き取られた状態で収容部に収容されるものが記載されている。
【発明の概要】
【発明が解決しようとする課題】
【０００５】
上述のように、電子機器である画像形成装置には、ＵＳＢ端子やＬＡＮケーブル端子の接続部が設けられるが、このような外部入出力端子の接続部は、画像形成装置の場合、接続ケーブルが邪魔にならないよう装置本体の背面（操作者が位置する側の反対側）に配置されることが多い。
【０００６】
そして、このような装置において、ユーザーはＵＳＢ端子やＬＡＮケーブル端子を背面側から抜き差しする必要がある。しかし画像形成装置が壁際の棚や机などの上に配置され、ユーザーが背面側に移動することができない場合、画像形成装置を移動させて挿入に端子を挿入し易い位置に移動させて接続を行う必要があり、端子の抜き差しが行いにくいという問題点がある。
【０００７】
そこで本発明は、装置本体の背面に配置されたＵＳＢ端子やＬＡＮケーブル端子の挿入を行うに際して、ユーザーが装置本体の背面に回りこむことなく端子の抜き差しを容易に行うことができる電子装置を提供することを目的とする。
【課題を解決するための手段】
【０００８】
請求項１の発明は、筐体の側面部に入出力端子の接続部が配置された電子機器において、前記側面部に隣接する上面部の前記接続部に相当する個所に前記接続部が配置されていることを示す表示を設けることを特徴とする電子機器である。
【０００９】
請求項２の発明は、請求項１に記載の電子機器において、前記接続部が配置される側面部は、操作者が位置する側と反対側である背面部であることを特徴とする。
【００１０】
請求項３の発明は、請求項１又は請求項２に記載の電子機器において、前記表示は、文字及び絵文字の少なくとも一方を含むものであることを特徴とする。
【００１１】
請求項４の発明は、請求項１乃至請求項３のいずれかに記載の電子機器において、前記入出力端子は、ＵＳＢ端子、ＬＡＮケーブル端子及び電力線端子のうち少なくとも一つを含むものであることを特徴とする。
【００１２】
請求項５の発明は、請求項１乃至請求項４のいずれかに記載の電子機器において、画像形成装置であることを特徴とする。
【発明の効果】
【００１３】
本発明によれば、電子機器の接続部に入出力端子を接続したり取り外したりするに際して、使用者は背面に回りこむことなく、手前側に位置した状態で、筐体の上面に配置された表示を目印にして入出力端子を抜き差しできる。このため、電子機器が壁際の棚や机などの上に配置された場合でも電子機器を移動させてから端子の抜き差し操作する必要がなく、前側から容易に入出力端子を抜き差しできる。
【図面の簡単な説明】
【００１４】
【図１】実施例に係る画像形成装置の外観を示す斜視図である。
【図２】画像画形成装置の機構部の全体構成を説明する概略構成図である。
【図３】画像形成装置の機構部の要部平面説明図である。
【図４】実施例に係る画像形成装置の入出力端子の配置状態を示す斜視図である。
【図５】実施例に係る画像形成装置において使用者が入出力端子を抜き差しする状態を示す斜視図である。
【発明を実施するための形態】
【００１５】
本発明に係る電子装置は、インクジェット記録装置を構成する画像形成装置であり、その筐体の背面には、外部とデータ等を授受するＵＳＢ端子の接続部、ＬＡＮケーブル端子の接続部が配置されている。そして、この背面に隣接する筐体の上面には、前記端子部の配置相当位置にＵＳＢ端子の接続部を示す絵文字、ＬＡＮケーブル端子の接続部を示す絵文字が表示されている。
【実施例】
【００１６】
以下実施例に係る画像形成装置であるインクジェット記録装置について説明する。図１は実施例に係る画像形成装置の外観を示す斜視図、図２は同機構部の全体構成を説明する概略構成図、図３は同機構部の要部平面説明図である。
【００１７】
実施例に係るインクジェット記録装置は、装置本体１と、装置本体１に装着した用紙を装填するための給紙トレイ２と、装置本体１に装着され画像が記録（形成）された用紙をストックするための排紙トレイ３とを備えている。更に、装置本体１の前カバー４の一端部側には、前カバー４から前方側に突き出したカートリッジ装填部６を有し、このカートリッジ装填部６の上面に操作キーや表示器などの操作部７を配置している。カートリッジ装填部６には、液体補充手段としての液体保管用タンクであるメインタンク（以下、「インクカートリッジ」という。）１０が交換可能に装着され、また、開閉可能なインクカートリッジカバー８を有している。この装置本体１の内部には、キャリッジ１３等を備える印字機構が配置されている。
【００１８】
次に、この画像形成装置の機構部について図２及び図３を参照して説明する。なお、図２は同機構部の全体構成を説明する概略構成図、図３は同機構部の要部平面説明図である。図示しない左右の側板に横架したガイド部材であるガイドロッド１１とステー１２とでキャリッジ１３を主走査方向に摺動自在に保持し、図示しない主走査モータによって図３で矢示方向に移動走査する。このキャリッジ１３には、インクの液滴を吐出するためのインクジェットヘッドからなる記録ヘッド１４を複数のノズルを主走査方向と交叉する方向に配列し、インク滴吐出方向を下方に向けて装着している。
【００１９】
ここで、記録ヘッド１４としては、例えば、図２及び図３に示すように、イエロー（Ｙ）、マゼンタ（Ｍ）、シアン（Ｃ）、ブラック（Ｋ）の各色のインク滴を吐出する液滴吐出ヘッドである独立した４個の液体吐出ヘッド１４ｙ、１４ｍ、１４ｃ、１４ｋ（以下では「記録ヘッド１４」は色を区別しない場合の用語とする。）を用いているが、各色のインク滴を吐出する複数のノズル列を有する１又は複数のヘッドを用いる構成とすることもできる。なお、色の数及び配列順序はこれに限るものではない。
【００２０】
記録ヘッド１４を構成するインクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するためのエネルギー発生手段として備えたものなどを使用できる。
【００２１】
また、キャリッジ１３には、記録ヘッド１４に各色のインクを供給するための各色の液体容器であるサブタンク１５を搭載している。このサブタンク１５にはインク供給チューブ１６を介して前述した各色のメインタンク（インクカートリッジ）１０からインクが補充供給される。ここで、メインタンク１０は、それぞれ各色に対応してシアン（Ｃ）、マゼンタ（Ｍ）、イエロー（Ｙ）、ブラック（Ｋ）の各色のインクを収容している。また、サブタンク１５には内部に収容しているインク（記録液）が所定量以下になったこと（インクエンドになったこと）を検知するための検知電極を用いたインクエンドセンサを設け、サブタンク１５内がインクエンドになったときには対応するインクカートリッジ１０から当該色の記録液を補充供給し、インクカートリッジ１０からの補充供給動作を行ったにもかかわらず、サブタンク１５内のインクエンド状態が解消されないときには、インクカートリッジ１０もインクエンドになったものとして所要の処理を行う。本発明における「記録液がない」状態とはインクカートリッジ１０がインクエンドになった状態に対応する。また、インクエンドの状態はインクニアーエンドの状態を含むものとする。
【００２２】
一方、給紙トレイ２の用紙積載部（圧板）２１上に積載した用紙２２を給紙するための給紙部として、用紙積載部２１から用紙２２を１枚ずつ分離給送する給紙コロ２３に対向し、摩擦係数の大きな材質からなる分離パッド２４を備え、この分離パッド２４は給紙コロ２３側に付勢されている。
【００２３】
そして、この給紙部から給紙された用紙２２を記録ヘッド１４の下方側で搬送するための搬送部として、用紙２２を静電吸着して搬送するための搬送ベルト３１と、給紙部からガイド２５を介して送られる用紙２２を搬送ベルト３１との間で挟んで搬送するためのカウンタローラ３２と、略鉛直上方に送られる用紙２２を略９０°方向転換させて搬送ベルト３１上に倣わせるための搬送ガイド３３と、押さえ部材３４で搬送ベルト３１側に付勢された先端加圧コロ３５とを備えている。また、搬送ベルト３１表面を帯電させるための帯電手段である帯電ローラ３６を備えている。
【００２４】
ここで、搬送ベルト３１は、無端状ベルトであり、搬送ローラ３７とテンションローラ３８との間に掛け渡されて、図３のベルト搬送方向に周回するように構成している。帯電ローラ３６は、搬送ベルト３１の表層に接触し、搬送ベルト３１の回動に従動して回転するように配置され、加圧力として軸の両端に各２．５Ｎをかけている。また、搬送ベルト３１の裏側には、記録ヘッド１４による印写領域に対応してガイド部材４１を配置している。
【００２５】
また、記録ヘッド１４で記録された用紙２２を排紙するための排紙部として、搬送ベルト３１から用紙２２を分離するための分離爪５１と、排紙ローラ５２及び排紙コロ５３とを備え、排紙ローラ５２の下方に排紙トレイ３を備えている。ここで、排紙ローラ５２と排紙コロ５３との間から排紙トレイ３までの高さは排紙トレイ３にストックできる量を多くするためにある程度高くしている。
【００２６】
また、装置本体１の背面部には両面給紙ユニット６１が着脱自在に装着されている。この両面給紙ユニット６１は搬送ベルト３１の逆方向回転で戻される用紙２２を取り込んで反転させて再度カウンタローラ３２と搬送ベルト１７との間に給紙する。また、この両面給紙ユニット６１の上面には手差し給紙部６２を設けている。
【００２７】
更に、図３に示すように、キャリッジ１３の走査方向の一方の非印字領域には、記録ヘッド１４のノズルの状態を維持し、回復するための信頼性維持手段である維持回復機構７１を配置し、他方の非印字領域には空吐出受け部材８１を配置している。維持回復機構７１には、記録ヘッド１４のノズル面をキャピングするためのキャッピング手段であるキャップ部材７２ａ、７２ｂ、７２ｃ、７２ｄと、ノズル面をワイピングするためのワイピング手段であるワイパーブレード７３などを備えている。
【００２８】
そして、この維持回復機構７１の下側には、維持回復機構７１による維持、回復動作によって生じる廃インクの貯蔵手段である廃液タンク９（図２参照）を配設し、この廃液タンク９の入口部に吸引ポンプのチューブの排出側を臨ませている。この例では、廃液タンク９はインクカートリッジカバー８を開状態とすることにより、全面から取り外すことができるようにしている。
【００２９】
次に本実施例に係る画像形成装置の入出力端子の配置について説明する。図４は実施例に係る画像形成装置の入出力端子の配置状態を示す斜視図、図５は実施例に係る画像形成装置において使用者が入出力端子を抜き差しする状態を示す斜視図である。本例に係る画像形成装置の装置本体１には、入出力端子であるＵＳＢ端子が接続されるＵＳＢ端子接続部９１，９２、ＬＡＮケーブル端子が接続されるＬＡＮ端子接続部９３、電力線端子が接続される電力端子接続部９４が配置されている。これらのＵＳＢ端子接続部９１，９２、ＬＡＮ端子接続部９３、電力端子接続部９４は、装置本体１の側面部のうち、使用者の位置の反対側である背面１部ａに配置されている。なお、図中符号９５は装置冷却風排出用の排気口である。
【００３０】
そして、本例では、前記装置本体１の背面部１ａに隣接する上面部１ｂには、前記ＵＳＢ端子接続部９１，９２の延長上にＵＳＢ端子接続部９１，９２の存在を示すＵＳＢ接続記号９６が、また、ＬＡＮ端子接続部９３の延長上にＬＡＮ端子接続部９３の存在を示すＬＡＮ接続記号９７が記載されている。この記載は、装置本体１の成形時にエンボス加工で形成することができる。
【００３１】
従って本実施例によれば、ＵＳＢ端子やＬＡＮケーブル端子の抜き差しに際して、使用者Ｕが装置本体１の背面に回りこむことなく、装置本体１の前面側からＵＳＢ端子やＬＡＮケーブル端子を抜き差しできるようなる。このため、壁際に配置した棚や机などの上に配置した画像形成装置して使用者Ｕが装置本体１の背面側に移動することができない場合でも、画像形成装置を移動させることなく前面からＵＳＢ端子やＬＡＮケーブル端子の抜き差しできるようなる。
【００３２】
なお、前記実施例では、電子装置として画像形成装置を例に説明したが、本発明は、画像形成装置以外の電子装置に適用することができる。また、前記実施例では接続部は背面部に配置したが、左右の側面部に配置し、接続部を表す表示を側面部に隣接する上面部に記載することができる。更に前記例では、表示として記号を配置したが、これらの記号と共に「ＵＳＢ」や「ＬＡＮ」等の文字を配置することや、記号及び文字を配置することができる。
【符号の説明】
【００３３】
１  装置本体
１ａ  背面部
１ｂ  上面部
２  給紙トレイ
３  排紙トレイ
４  前カバー
６  カートリッジ装填部
７  操作部
８  インクカートリッジカバー
９  廃液タンク
１０  インクカートリッジ
１１  ガイドロッド
１２  ステー
１３  キャリッジ
１４  記録ヘッド
１４ｙ、１４ｍ、１４ｃ、１４ｋ  液体吐出ヘッド
１５  サブタンク
１６  インク供給チューブ
１７  搬送ベルト
２１  用紙積載部（圧板）
２２  用紙
２３  給紙コロ
２４  分離パッド
２５  ガイド
３１  搬送ベルト
３２  カウンタローラ
３３  搬送ガイド
３４  押さえ部材
３５  先端加圧コロ
３６  帯電ローラ
３７  搬送ローラ
３８  テンションローラ
４１  ガイド部材
５１  分離爪
５２  排紙ローラ
５３  排紙コロ
６１  両面給紙ユニット
６２  給紙部
７１  維持回復機構
７２ａ、７２ｂ、７２ｃ、７２ｄ  キャップ部材
７３  ワイパーブレード
８１  空吐出受け部材
９１，９２  ＵＳＢ端子接続部
９３  ＬＡＮ端子接続部
９４  電力端子接続部
９５  排気口
９６  ＵＳＢ接続記号
９７  ＬＡＮ接続記号
Ｕ  使用者
【先行技術文献】
【特許文献】
【００３４】
【特許文献１】特開２００７−１０６６０９公報
【特許文献２】特開２００７−０７４６２２公報
【特許文献３】特開２００６−２６３９５９公報
【図１】
2010260283.tif 000003
【図２】
2010260283.tif 000004
【図３】
2010260283.tif 000005
【図４】
2010260283.tif 000006
【図５】
2010260283.tif 000007